(57)【特許請求の範囲】
【請求項１】
本体ベースと、当該本体ベースに対して一側辺の上下端に設けた軸部を中心として相対的に回転移動することで開閉する開閉ユニットと、で構成された遊技機に用いられる開閉機構であって、
前記本体ベースと前記開閉ユニットとの間に掛け渡され、前記開閉ユニットの全閉状態から全開状態までの全ストロークの移動の際には当該移動を容認し、前記開閉ユニットの開放移動中における閉止方向への方向転換後の移動の際には当該移動を阻止するラチェット機構を設けたことを特徴とする遊技機の開閉機構。
【請求項２】
本体ベースと、当該本体ベースに対して着脱可能に取り付けられる一側辺の上下端に設けた軸部を中心として相対的に回転移動することで開閉する開閉ユニットと、で構成された遊技機に用いられる開閉機構であって、
前記本体ベースと前記開閉ユニットとの間に前記本体ベースに対する着脱動作に伴って着脱可能に掛け渡され、前記開閉ユニットの全閉状態から全開状態までの全ストロークの移動の際には当該移動を容認し、前記開閉ユニットの開放移動中における閉止方向への方向転換後の移動の際には当該移動を阻止するラチェット機構を設けたことを特徴とする遊技機の開閉機構。
【請求項３】
前記ラチェット機構が、基部を中心に振り子の如く往復回転可能とされ、先端部には付勢力で振り子動作の中立位置に保持された爪部を備えたロック部材と、前記開閉動作範囲において前記ロック部材の爪部が係合する複数の歯部とを有し、
前記開放動作途中のとき、この開放動作を継続する場合は爪部における歯部の乗り越えを容認し、前記閉止動作に切り替わった場合は爪部が歯部の谷と干渉して前記中立位置を超えさせず前記乗り越えを阻止することを特徴とする請求項１又は請求項２記載の遊技機の開閉機構。
【請求項４】
前記ラチェット機構が、前記開閉ユニットの開閉動作と共に直線移動可能とされ当該移動方向の所定の領域に係合部が形成された直線移動体と、一端部が回転軸を介して軸支され他方に前記直線移動体の係合部と係合可能な爪部が形成されたロック部材と、で構成されていることを特徴とする請求項１又は請求項２に記載の遊技機の開閉機構。
【請求項５】
前記ロック部材を、前記回転軸から爪部の先端を結ぶ線と前記開閉ユニットの移動方向とが直角の関係となる中立位置に付勢する付勢手段をさらに有することを特徴とする請求項４記載の遊技機の開閉機構。
【請求項６】
前記本体ベースがパチンコ機の木枠であり、前記開閉ユニットが前記パチンコ機の遊技盤を支持する遊技盤ユニットであることを特徴とする請求項１乃至請求項５の何れか１項記載の遊技機の開閉機構。
【請求項７】
前記本体ベースがパチンコ機の遊技盤を支持する遊技盤ユニットであり、前記開閉ユニットが前記遊技盤の前面に対向して配設される保護ガラスが取り付けられたガラス枠であることを特徴とする請求項１乃至請求項５の何れか１項記載の遊技機の開閉機構。
【請求項８】
前記開閉ユニットが少なくとも、遊技者の操作に基づいてパチスロ遊技を進行させる操作部と、化粧用の装飾部材とを備えた前面操作兼装飾ユニットであり、
前記本体ベースが少なくとも、前記操作部の操作に応じて遊技を進行させるための機構部材と、前記機構部材を制御するための制御部材とを収納するためのパチスロ本体であることを特徴とする請求項１乃至請求項５の何れか１項記載の遊技機の開閉機構。
【発明の詳細な説明】
【０００１】
【発明の属する技術分野】
本発明は、本体ベースと、当該本体ベースに対して相対移動することで開閉する開閉ユニットと、で構成された遊技機に用いられる開閉機構に関するものである。
【０００２】
【従来の技術及び発明が解決しようとする課題】
遊技機、例えば、パチンコ機では、多数のパチンコ機本体をメーカーからパチンコ店へ搬送、設置している。パチンコ店には、島と称される架台が設けられ、パチンコ機を設置する部分には、木枠が取り付けられている。
【０００３】
一方、パチンコ店へ搬送されてくるパチンコ機には、一般的に外枠と呼ばれる木枠が、遊技盤を支持するための遊技ユニットを外側から囲むように取り付けられ、また、遊技ユニットと木枠とは左の側辺を中心に相互に回転可能、かつ、相互に着脱可能に取り付けられる。このパチンコ機側の木枠は、島側の木枠に天地位置を挟み込むように組み込まれ、上端と下端とが架台側の木枠に釘、あるいは傾斜角度の調節機構を備えたアタッチメントを介在させて固定される。このようにして複数のパチンコ機は島に隣合わせに固定され、各パチンコ機は左の側辺を中心として島側の木枠に対して回転可能に支持されることになる。
【０００４】
パチンコ機は、島への設置後に、電気配線等、裏面側での作業が必要であり、このような作業時にはパチンコ機を木枠に対して回動して開放することで円滑な作業が可能となる。
【０００５】
しかしながら、上記パチンコ機は、島に設置する際に設置面の垂直方向に対して若干上向きに傾斜されて取り付けられている。すなわち、パチンコ機の上部が下部よりも奥側に位置している。この傾斜のため、作業のために開放していたパチンコ機が自重で閉止方向へ移動することがある。
【０００６】
このため、作業者は片手でパチンコ機を押えたり、別の部材を用いて開閉時の移動軌跡上に移動を妨害する異物を挟み込むといった工夫をして、作業を行なっており、作業性の低下を招いている。
【０００７】
また、パチンコ機には、遊技盤の前面に保護ガラスを配置するためのガラス枠がヒンジ（蝶番）を介して開閉可能に取り付けられている。通常の遊技ではこのガラス枠は閉止状態としているが、釘調整が必要な場合、或いはパチンコ球が遊技盤上で詰まったりしたような場合、作業者はこのガラス枠を開放した状態で作業を行なう。この場合、作業者は迅速な対応を要求されるが、ガラス枠が自然に閉じることがあるため、このガラス枠を押えながらの作業となり作業効率が悪い。
【０００８】
さらに、上記パチンコ機以外の遊技機としてはパチスロ機があり、このパチスロ機においても、本体に対して、遊技者が操作する操作ボタンや操作レバーが取り付けられた前面操作兼装飾ユニットを開閉する際に自重により自然に閉止方向へ回動してしまうことがある。
【０００９】
一方、上記作業性の不具合とは別に、遊技者の不正行為の１つとして、例えば、パチンコ機を木枠に対してわずかに開放し、裏面側の制御機器、或いは遊技盤の遊技釘、入賞具、機構系部材等を操作して不正行為を行なうことがなされる場合がある。このようなわずかな開放は店員には見つかり難いため、店員は遊技者の挙動に対して細心の注意を払って監視を行なう必要がある。
【００１０】
本発明は上記事実を考慮し、開閉可能なユニットを開放しながら作業を行なう際に、開放状態を維持することができる遊技機の開閉機構を得ることが目的である。
【００１１】
また、上記目的に加え、開閉可能なユニットが不正に開放された場合に、この開放状態を閉止に復帰させる際に、大きな動作が必要となるようにすることで、不正行為の監視に対して目立ち易くすることができる遊技機に開閉機構を得ることが目的である。
【００１２】
【課題を解決するための手段】
請求項１に記載の発明は、本体ベースと、当該本体ベースに対して一側辺の上下端に設けた軸部を中心として相対的に回転移動することで開閉する開閉ユニットと、で構成された遊技機に用いられる開閉機構であって、前記本体ベースと前記開閉ユニットとの間に掛け渡され、前記開閉ユニットの全閉状態から全開状態までの全ストロークの移動の際には当該移動を容認し、前記開閉ユニットの開放移動中における閉止方向への方向転換後の移動の際には当該移動を阻止するラチェット機構を設けたことを特徴としている。
【００１３】
請求項１に記載の発明によれば、開閉ユニットを回転動作によって開放させるときは円滑に開放でき、全開放状態となる直前で開放動作を中止することで、以後の閉止動作は阻止される。このため、開放状態での作業時に開閉ユニットが閉じることを防止するために手で押えたりする必要がない。
【００１４】
また、この開閉ユニットを閉止するときは、前記開放状態とする。これにより、開閉ユニットは開放動作を全ストローク完了するため、閉止方向への移動も容認され、円滑に閉止することができる。
【００１５】
上記構成とすることにより、前述のように開放状態での作業性が向上すると共に、開閉ユニットをわずかに開放して遊技機の裏面がの制御機器等に不正行為を行なうようなことがあった場合、閉止するときには全開放状態としなければならないため、動きとして大きくなり店員の監視の目を盗むようなことができなくなる。すなわち、本発明の開閉機構は、不正行為の撲滅にも役立つ。
【００１６】
請求項２に記載の発明は、本体ベースと、当該本体ベースに対して着脱可能に取り付けられる一側辺の上下端に設けた軸部を中心として相対的に回転移動することで開閉する開閉ユニットと、で構成された遊技機に用いられる開閉機構であって、前記本体ベースと前記開閉ユニットとの間に前記本体ベースに対する着脱動作に伴って着脱可能に掛け渡され、前記開閉ユニットの全閉状態から全開状態までの全ストロークの移動の際には当該移動を容認し、前記開閉ユニットの開放移動中における閉止方向への方向転換後の移動の際には当該移動を阻止するラチェット機構を設けたことを特徴としている。
【００１７】
請求項２に記載の発明によれば、ラチェット機構が前記本体ベースと前記開閉ユニットとの間に前記本体ベースに対する着脱動作に伴って着脱可能に掛け渡されているため、本体ベースと開閉ユニットとの着脱と同時にラチェット機構が着脱できるため、組み立て、取り外し作業が容易となる。
【００１８】
請求項３に記載の発明は、前記請求項１又は請求項２に記載の発明において、前記ラチェット機構が、基部を中心に振り子の如く往復回転可能とされ、先端部には付勢力で振り子動作の中立位置に保持された爪部を備えたロック部材と、前記開閉動作範囲において前記ロック部材の爪部が係合する複数の歯部とを有し、
前記開放動作途中のとき、この開放動作を継続する場合は爪部における歯部の乗り越えを容認し、前記閉止動作に切り替わった場合は爪部が歯部の谷と干渉して前記中立位置を超えさせず前記乗り越えを阻止することを特徴としている。
【００１９】
請求項３に記載の発明によれば、開閉ユニットが開放動作途中は、ロック部材は付勢力に効して振り子動作に準じて基部を中心に回転し、爪部は次々と歯部を乗り越える。すなわち、開閉動作は容認される。一方、この開閉動作途中で閉止動作に切り替わると、爪部が歯部を乗り越えるためには、中立位置を通過して回転する必要がある。しかし、この爪部が中立位置に到達するとき、歯部の谷と干渉して前記中立位置を超えることができない。この結果、歯部の乗り越えが阻止され、開閉ユニットは開閉途中での閉止動作ができなくなる。
【００２０】
請求項４に記載の発明は、前記請求項１又は請求項２に記載の発明において、前記ラチェット機構が、前記開閉ユニットの開閉動作と共に直線移動可能とされ当該移動方向の所定の領域に係合部が形成された直線移動体と、一端部が回転軸を介して軸支され他方に前記直線移動体の係合部と係合可能な爪部が形成されたロック部材と、で構成されていることを特徴としている。
【００２１】
請求項４に記載の発明によれば、ラチェット機構として直線移動体とロック部材との構成とすれば、開閉ユニットが直線移動によって開閉する場合に有利であり、例えば、開閉ユニットに直接直線移動体を取り付けることができる。なお、開閉ユニットと本体ベースとの間に丸棒状のロッドを伸縮させることが可能な圧力調整室、或いはばね等の弾性部材を備えたシリンダを介在させることで、この直線移動型の構造も、回転によって開閉する開閉ユニットへの適用も可能である。
【００２２】
請求項５に記載の発明は、前記請求項４に記載の発明において、前記ロック部材を、前記回転軸から爪部の先端を結ぶ線と前記開閉ユニットの移動方向とが直角の関係となる中立位置に付勢する付勢手段をさらに有することを特徴としている。
【００２３】
請求項５に記載の発明によれば、爪部の傾きによって開閉ユニットが開放移動中に方向転換して閉止方向へ移動することを阻止しているため、これを解除するためには、爪部の傾きを中立位置を境界として反転させる必要がある。そこで、付勢手段の付勢力で、例えば全開放状態となったときに爪部を中立位置としておくことで、閉止方向の動作に追従して爪部が反転するため、特別なロック解除機構が不要となる。
【００２４】
請求項６に記載の発明は、前記請求項１乃至請求項５の何れか１項記載の発明において、前記本体ベースがパチンコ機の木枠であり、前記開閉ユニットが前記パチンコ機の遊技盤を支持する遊技盤ユニットであることを特徴としている。
【００２５】
請求項６に記載の発明によれば、遊技盤ユニットは、木枠に設置した後、裏面側の制御機器への配線等の作業が必要であるため、この遊技盤ユニットを開放状態で保持することで、作業者が押える必要がなく、作業性が向上する。
【００２６】
請求項７に記載の発明は、前記請求項１乃至請求項５の何れか１項記載の発明において、前記本体ベースがパチンコ機の遊技盤を支持する遊技盤ユニットであり、前記開閉ユニットが前記遊技盤の前面に対向して配設される保護ガラスが取り付けられたガラス枠であることを特徴としている。
【００２７】
請求項７に記載の発明によれば、ガラス枠は、釘調整を行ったり、遊技中に遊技盤上でトラブルが発生した場合に、店員が開放し当該トラブルを迅速に解消させる必要があり、このガラス枠を開放状態で保持することで、作業者が押える必要がなく、作業性が向上する。
【００２８】
請求項８に記載の発明は、前記請求項１乃至請求項５の何れか１項記載の発明において、前記開閉ユニットが少なくとも、遊技者の操作に基づいてパチスロ遊技を進行させる操作部と、化粧用の装飾部材とを備えた前面操作兼装飾ユニットであり、前記本体ベースが少なくとも、前記操作部の操作に応じて遊技を進行させるための機構部材と、前記機構部材を制御するための制御部材とを収納するためのパチスロ本体であることを特徴としている。
【００２９】
請求項８に記載の発明によれば、パチスロ機は、操作部及び装飾部材を備えた前面操作兼装飾ユニットに取り付けられており、この前面操作兼装飾ユニットの裏面、或いはパチスロ本体に収納された機構部材や制御部材のメンテナンス作業時には開閉したままとする。この場合、前面操作兼装飾ユニットを開放状態で保持することで、作業者が押える必要がなく、作業性が向上する。
【００３０】
なお、操作部とは、例えばメダル投入口（投入機構、メダル真贋チェック機構、メダル払戻機構等を含む）、メダルのクレジット機構、スタートレバー、ストップスイッチ（ボタン）、精算ボタン等をいう。
【００３１】
また、装飾部材とは、例えば、化粧パネル、演出用の表示器（液晶パネル、ＬＥＤ表示器、メカ式の役物）、各種表示用のライト又はランプ（バックライトを含む）、効果音発生用スピーカ、演出用ライト（蛍光灯、ブラックライト）をいう。
【００３２】
さらに、機構部材とは、例えば、メイン／サブ基板、リールユニット、ホッパ、電源回路、補助タンク（溢れメダルの受け箱）をいう。
【００３３】
また、制御部材とは、例えば、メイン基板（メダル払出し、リール制御、レバーやストップスイッチ等の外部入力検出、ホッパ制御、有効ライン判別、役抽選、エラー検出／表示、払出枚数表示ランプ等）、サブ基板（効果音、装飾用ランプ／ＬＥＤ制御、演出用表示器／液晶制御、バックライト、逆Ｕ字型のアーチランプ／役報知等）をいう。
【００３４】
【発明の実施の形態】
（第１の実施の形態）
図１には、第１の実施の形態に係るパチンコ機１１０が示されている。このパチンコ機１１０は、矩形の枠体１１３でその外形が構成されている。また、枠体１１３には、装飾版１１３Ａ、スピーカ１６２、キーシリンダ１１３Ｂ等が配設されている。
【００３５】
なお、このパチンコ機１１０が設置される店側には、前記枠体１１３が取付可能な木枠２５８が予め設けられており、パチンコ機１１０を店へ搬送した時点で、この木枠２５８に後述する取付ユニット２５０、２５８によって開閉可能に設置されるようになっている。
【００３６】
枠体１１３の内側正面には、透明ガラス板１１０Ａがガラス枠１１０Ｂに嵌め込まれた状態で配設されている。この透明ガラス板１１０Ａで仕切られた内側領域には、遊技盤１１１が配設されている。また、この遊技盤１１１における円弧状のレール１１２で囲まれた領域が遊技領域であるゲージ部１１４とされている。
【００３７】
上記ゲージ部１１４の下部、すなわち、透明ガラス板１１０Ａの下部は、パネル部１４０とされ、その上部パネル１４０Ａには上皿１４１が設けられ、下部パネル１４０Ｂには、発射装置の操作部としてのハンドル１３６と、上皿１４１から落下するパチンコ球を受ける下皿１３８とが設けられている。なお、下部パネル１４０Ｂには、灰皿１４３も設けられている。
【００３８】
ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記回転角度に基づいて発射強度が設定されるようになっている。なお、この回転には、復帰付勢力が付与されており、遊技者が手を離すと自動的に元の回転位置に戻る構造となっている。
【００３９】
上記構成のパチンコ機１１０の図１の左側上下の角部には、それぞれ取付ユニット２５０、２５２が配設されている。
【００４０】
図１の左下角部の取付ユニット２５２は、パチンコ機１１０側のブラケット２５４に円孔２５６が設けられ、木枠２５８のベース側のブラケット２６０に上に凸とされた円柱状の軸部材２６２が設けられている。ここで、パチンコ機１１０を持ち上げて、ブラケット２５４、２６０をつき合わせ、軸部材２６２と円孔２５６とを同軸とすることで、軸部材２６２が前記円孔２５６に挿入され、軸支されるようになっている。
【００４１】
一方、図１の左上角部の取付ユニット２５０においても、パチンコ機１１０と木枠２５８の天板とのそれぞれにブラケット２６４、２６６が取付けられて構成されている。
【００４２】
図２に示される如く、木枠２５８の外周部には、その角部に肉厚寸法を小さくする切削部２６８が形成されている。この切削の深さは、前記ブラケット２６６の肉厚寸法とほぼ一致しており、略Ｌ字型に屈曲されたブラケット２６６が収容され、ねじ締めされて固定されている。
【００４３】
ブラケット２６６の前方側端部は木枠２５８よりも前方に向けて突出され、さらに、縦向きの端部からは略逆三角形状の支持部２６６Ａが突出されている。
【００４４】
支持部２６６Ａの上端部が略直角に屈曲され、水平面部２６６Ｂとされ、その中央部に円孔２７０が設けられている。この円孔２７０は、前述した左下角部のブラケット２６４に形成された軸部２７２（後述）と同軸状となっている。
【００４５】
一方、パチンコ機１１９の枠体１１３の外周部には、その角部に切欠部２７４が形成され、略L字型に屈曲されたブラケット２６４が配設されている。このブラケット２６４の水平面部２６４Ａからは、枠体１１３の裏面側に沿って屈曲された補強部２６４Ｂが一体形成されている。また、この水平面部２６４Ａの前方側にリブ２６４Ｃが形成され、変形防止の補強がなされている。
【００４６】
上記ブラケット２６４の水平面部２６４Ａには、下に凸とされた軸部２７２が取り付けられている。この軸部２７２は前記円孔２７０に挿入可能とされ、パチンコ機１１０の前記左下角部に設けたブラケット２５４の円孔２５６と同軸状とされている。
【００４７】
ここで、前記左下角部の軸部２６２が円孔２５６に挿入されると同時に、左上角部の軸部２７２が円孔２７０に挿入されることで、パチンコ機１１０は軸部２６２、２７２によって木枠２５８に対して回動可能に支持されることになる。
【００４８】
パチンコ機１１０の裏面側には、様々な制御機器や機械部品が取付けられており、その中には、木枠２５８への設置後に店側との電気配線や最終調整等が必要な場合がある。この場合、パチンコ機１１０を木枠２５８に対して開放した状態で作業が行なわれる。
【００４９】
ここで、店側の木枠２５８は、予め上向きに若干量傾斜していることが多い。この結果、パチンコ機１１０も若干上向きに傾斜されて設置されることになる。これは、遊技中のパチンコ球の遊技盤１１１上での挙動を安定させる等の理由からなされている。このため、パチンコ機１１０を軸部２６２、２７２を中心に回動させて開放したとき、フリーの状態となる閉止方向へ自然に回転することがある。
【００５０】
そこで、第１の実施の形態では、上記開放時における開放状態の保持のための機構を前記左上角部の取付ユニット２５０に設けている。
【００５１】
すなわち、図２に示される如く、木枠２５８側のブラケット２６６の上面部２６６Ｂには、ロック部材２７６が設けられている。ロック部材２７６は、前記上面部２６６Ｂに取付けられたロック部材ブラケット２７８から突出する軸部２８０に軸支され、この軸部２８０から半径方向に延長された先端部が爪部２７６Ａとされている。前記ロック部材ブラケット２７８の図２の奥側は略直角に屈曲された立設部２７８Ａが形成されている。この立設部２７８Ａとロック部材２７６との間には引張コイルばね２８２の両端部がそれぞれ係止されている。これにより、ロック部材２７６は、引張コイルばね２８２の軸線の延長線上に爪部２７６Ａの先端がくる、中立位置に付勢されるようになっている。すなわち、ロック部材２７６が軸部２８０を中心に回転した場合でもフリーの状態となると引張コイルばね２８２の付勢力で前記中立位置に戻るようになっている。
【００５２】
また、パチンコ機１１０の枠体１１３側のブラケット２６４における軸部２７２の突出方向反対側、すなわち水平面部２６４Ａの上面側には、前記軸部２７２と同軸状に、係合部材としての回転体２８４が取り付けられている。
【００５３】
回転体２８４の外周には所定の角度の範囲で係合部としての歯部２８４Ａが形成されている。
【００５４】
図３に示される如く、この回転体２８４は、パチンコ機１１０が木枠２５８に取り付けられる（軸部２６２、２７２が軸支される）ときに前記爪部２７６Ａと対向するようになっている。
【００５５】
爪部２７６Ａは、パチンコ機１１０が木枠２５８に対して閉止状態のとき、前記歯部２８４Ａの領域外に位置しており、自由に可能な状態となっている。この状態からパチンコ機１１０を開放するように回動すると、爪部２７６Ａは歯部２８４Ａと干渉する。この干渉により爪部２７６Ａは引張コイルばね２８２の付勢力に抗して歯部２８４Ａを乗り越えるように振り子の如く往復回動するため、開放動作に何ら影響を与えない。
【００５６】
また、パチンコ機１１０が全開状態となると、歯部２８４Ａにおける前記全閉状態とは反対側の領域外に位置するため、この時点で引張コイルばね２８２の付勢力で中立位置に戻るようになっている。
【００５７】
一方、前記パチンコ機１１０の開放動作中において、方向転換によって閉止方向へ回動させようとした場合、爪部２７６Ａは歯部２８４Ａの何れかに噛み合っており、中立位置を越えて反転することができない状態となる。このため、このような開放動作途中における方向転換時には、閉止方向の動作が阻止されることになる。
【００５８】
以下に第１の実施の形態の作用を説明する。
【００５９】
パチンコ機１１０を店に搬送し、木枠２５８に取り付ける際、取付ユニット２５０、２５２の軸部２６２、２７２をそれぞれに対応する円孔に挿入して軸支することで、木枠２５８に対して回動可能に取付けることができる。
【００６０】
パチンコ機１１０の取付後は、パチンコ機１１０の裏面側に設けられた制御機器と店側との電気配線、機械部品の調整等が必要となる。このため、パチンコ機１１０は、前記軸部２６２、２７２を中心に回動させ、開放する。
【００６１】
ここで、パチンコ機１１０の全閉状態では、ロック部材２７６の爪部２７６Ａは、回転体２８４の歯部２８４Ａが形成されてない外周部と対向しているため、フリーな状態であり、引張コイルばね２８２の付勢力により中立位置に保持されている（図４（Ａ）参照）。
【００６２】
この状態からパチンコ機１１０を開方向へ回転させると、爪部２７６Ａは歯部２８４Ａの一端部側から干渉し、引張コイルばね２８２の付勢力に抗して、中立位置に対して傾斜する。その後、開放動作につれて、歯部２８４Ａを乗り越えながら振り子の如く回動を繰り返す。
【００６３】
ここで、爪部２７６Ａが歯部２８４Ａと対向しているときに開放動作を中止し、閉止する方向への方向転換を行なおうとした場合、爪部２７６Ａが中立位置に対する傾斜方向とは、当該中立位置を境界として反対方向へ傾斜しようとする力が加わる。
【００６４】
しかし、爪部２７６Ａは、歯部２８４Ａに係合されており、かつ爪部２７６Ａの先端が歯部２８４Ａの谷との位置関係で、上記反転を阻止しているため、この爪部２７６Ａの回転阻止力によってパチンコ機１１０が閉止方向へは回転しない（図４（Ｂ）参照）。このため、このパチンコ機１１０を開放状態で裏面等の作業を行なう際、爪部２７６Ａが歯部２８４Ａを通過する直前の位置で開放動作を停止することで、パチンコ機１１０の閉止方向への動作が阻止でき、作業者が手で押えるといったことが必要なくなり、結果として作業効率を向上することができる。
【００６５】
作業が終了し、パチンコ機１１０を閉止する場合は、パチンコ機１１０をさらに開放動作させ、回動範囲の全ストロークを完了させる。これにより、爪部２７６Ａは、歯部２８４Ａの他端部から逸脱し、引張コイルばね２８２の付勢力で中立位置に復帰することができる（図４（Ｃ）参照）。
【００６６】
この状態で、閉止方向への動作を開始すると、爪部２７６Ａは開放時とは中立位置を境界として反対側に傾斜して、歯部２８４Ａを乗り越え可能となり、円滑に閉止動作が可能となる（図４（Ｄ）参照）。
【００６７】
なお、この閉止動作の際、途中で止めて方向転換して開放しようとしても前述と同様に爪部２７６Ａの反転が歯部２８４Ａによって阻止されるため、開放することができない。
【００６８】
上記第１の実施の形態によれば、枠体１１３側のブラケット２６４の軸部２７２と同軸に回転体２８４を設け、木枠２５８側のブラケット２６６にロック部材２７６を設け、爪部２７６Ａと歯部２８４Ａとの相対位置関係によって、爪部２７６Ａが歯部２８４Ａと噛み合っているときには、ロック部材２７６が中立位置を境界として反転できないようにしたため、パチンコ機１１０が全閉状態から開放し始め、爪部２７６Ａが歯部２８４Ａに噛み合った時点で、全開するまでは方向転換してもその回動を阻止するようにしたため、全開直前の位置で開放状態を保持することができ、パチンコ機１１０の裏面側の作業性を向上することができる。また、パチンコ機１１０の不正な開閉動作が大きくなり、監視の目を盗むことができなくなって、結果として不正行為を防止することにつなげることができる。
（第２の実施の形態）
以下に本発明の第２の実施の形態について説明する。なお、この第２の実施の形態において、前記第１の実施の形態と同一構成部分については、同一の符号を付してその構成の説明を省略する。
【００６９】
この第２の実施の形態の特徴は、本発明の開閉機構をパチンコ機１１０のガラス枠１１０Ｂの開閉動作に用いた点にある。
【００７０】
図５に示される如く、枠体１１３には遊技盤１１０を収容する矩形の開口部２８６が設けられている。開口部２８６の図５の左端部には、蝶番２８８を介してガラス枠１１０Ｂが回転可能に支持されている。
【００７１】
図６及び図７に示される如く、蝶番２８８は、２枚の平板２８８Ａ、２８８Ｂがそれぞれ枠体１１３及びガラス枠１１０Ｂにそれぞれ取り付けられ、一端部に互い違いとなる円筒部２８８Ｃが形成されている。この互い違いの円筒部２８８Ｃが同軸となることで、支持ピン２９０が挿通可能となり、この支持ピン２９０によって互いの平板２８８Ａ、２８８Ｂが回転可能に連結される。
【００７２】
前記支持ピン２９０は、ガラス枠１１０Ｂ側の平板２８８Ｂと共に回転可能とされ、その上部延長部に回転体２８４が取り付けられている。回転体２８４の外周には所定角度の範囲に歯部２８４Ａが形成されている。
【００７３】
また、木枠２５８の上面にはブラケット２７８が取り付けられ、軸部２８０が突出されている。この軸部２８０には、先端部に爪部２７６Ａが形成されたロック部材２７６が回転可能に支持されている。また、ロック部材２７６とブラケット２７８との間には、引張コイルばね２８２が介在されている。
【００７４】
このロック部材２７６と回転体２８４との相対位置関係は、前記第１の実施の形態で説明したように、爪部２７６Ａが歯部２８４Ａに対して傾斜した状態で係合するため、ガラス枠１１０Ｂの全閉及び全開状態では、中立位置を取り得るが、歯部２８４Ａとの係合範囲では、中立位置を境に反転が阻止されるため、移動途中における方向転換があった場合、その方向転換後の移動ができない。
【００７５】
すなわち、ガラス枠１１０Ｂを開放した状態で保持したい場合には、ガラス枠１１０Ｂを開放し、爪部２７６Ａが歯部２８４Ａを順次乗り越え、全開放の直前（歯部２８４Ａの最終端）となったときに開放動作を中止する。これにより、ガラス枠１１０Ｂを閉じようとしても爪部２７６Ａと歯部２８４Ａとが係合しているため、移動が阻止され、例えば、作業者が遊技中のトラブルの解消や釘調整等を行うときに、ガラス枠１１０Ｂを手で押さえたり、別の部材を挟み込んで閉止移動を阻止するようなことが不要となり、作業性の向上を図ることができる。
【００７６】
また、ガラス枠１１０Ｂを閉じるときは、ガラス枠１１０Ｂをさらに開放方向へ移動し、開放動作の全ストロークを終了させることで、爪部２７６Ａを中立位置へ戻すことができ、爪部２７６Ａは閉止動作に応じて、前記開放動作とは反対方向に傾斜し、歯部２８４Ａを乗り越えながら移動させることができる。
【００７７】
このような構造とすることで、前述のように作業性の向上を図ることができると共に、ガラス枠１１０Ｂを若干開放して、遊技盤を不正に操作する行為があっても、閉じるときに必ず全開状態を経なければならないため、動作が大きくなり店員の監視の目を盗んで行うことが不可能となる。
（第３の実施の形態）
以下に本発明の第３の実施の形態について説明する。なお、この第３の実施の形態において、前記第１の実施の形態と同一構成部分については、同一の符号を付してその構成の説明を省略する。
【００７８】
この第３の実施の形態の特徴は、本発明の開閉機構を遊技機の１つであるパチスロ機３００（図８参照）に適用した点にある。
【００７９】
まず、図８及び図９に従い、パチスロ機３００の概略について説明する。
【００８０】
図８に示される如く、パチスロ機３００は、本体３０２と、本体３０２の正面に設けられた操作兼装飾部３０３と、で構成されている。
【００８１】
操作兼装飾部３０３は、本体３０２に対して図９の左端を中心に回動することで開閉可能となっている。すなわち、この図９の左端には、第２の実施の形態と同様の蝶番（図示省略）が設けられている。
【００８２】
操作兼装飾部３０３は、上から装飾部３０４、表示部３０６、操作部３０８、払出部３１０とに分類することができる。
【００８３】
装飾部３０４は、内部でランプが点灯することで、表示が透過するような表示パネル部３１２が取り付けられている。また、装飾部３０４の一部として、前記表示部３０６をアーチ状に囲む立体的な電飾部３０４Ａも設けられている。
【００８４】
表示部３０６は、その中央に表示窓３１４が設けられている。この表示窓３１４の内部には、図柄変動部３１６が設けられ、３個のドラム３５０が回転するようになっている。表示部３０６の表示窓３１４の左部には、指標部３１８（図１０参照）となっており、表示窓３１４に揃う図柄の状態（列数等）を案内表示している。
【００８５】
操作部３０６は、コイン投入部３２０、１枚ベットボタン３５２Ａ、２枚ベットボタン３５２Ｂ、マックスベットボタン３５２Ｃ、始動レバー３５４、停止ボタン３５６Ａ、３５６Ｂ、３５６Ｃ等が設けられている。
【００８６】
払出部３１０は、コイン排出口３２６と、このコイン排出口３２６から排出されるコインを受取る受け皿３２８とで構成されている。
【００８７】
図１０に示される如く、図柄変動部３１６は、３個のドラム３５０Ａ、３５０Ｂ、３５０Ｃで構成されている。ここで、ドラム３５０Ａ、３５０Ｂ、３５０Ｃが回転することで、図柄が順次前記表示窓３１４から見えるようになり、表示窓３１４の横並びの中央の行に停止した図柄が基本停止図柄となる。なお、この基本停止図柄は、１枚のコイン（メダルともいう）を投資した場合であり、最大１回のゲームで３枚のコインを投資でき、この場合は、上行と下行上に停止している図柄、並びに２本の対角線上に停止している図柄が順次コインの投資数に応じて組み合わせ停止図柄として採用されるようになっている。
【００８８】
前記停止ボタン３５６Ａ、３５６Ｂ、３５６Ｃは、図柄変動部３１６下部に設けられており、各ドラム３５０Ａ、３５０Ｂ、３５０Ｃに対応している。すなわち、対応するそれぞれのドラム３５０Ａ、３５０Ｂ、３５０Ｃの回転を遊技者による停止ボタン３５６Ａ、３５６Ｂ、３５６Ｃの操作で停止させることができる。
【００８９】
また、この停止ボタン３５６Ａ、３５６Ｂ、３５６Ｃの左側に設けられた始動レバー２０を操作（傾倒）することで、各ドラム１４が回転を開始するようになっている。
【００９０】
また、この始動レバー３５４による操作タイミングは、当たり抽選のタイミングとなっており、始動レバー３５４の操作によって、内部の主コントローラ（図示省略）では当たり／外れが決定するようになっている。
【００９１】
ここで、抽選が当たりの場合は、フラグ成立となり、その後に当たり図柄が揃うと、当たりとなって、遊技者に有利な状態となる。なお、当たりには大当たり（ビッグボーナス）と通常当たり（レギュラーボーナス）とがあり、それぞれ遊技者に有利な状態の度合いが異なる。当然ビッグボーナスの方がレギュラーボーナスよりも有利である。
【００９２】
遊技の手順は、まず、コインが投入済であり、１枚ベットボタン３５２Ａ、２枚ベットボタン３５２Ｂ、マックスベットボタン３５２Ｃによるベットが完了すると、始動レバー３５４を操作する。この時点で当り／外れの抽選がなされ、当りの場合には内部制御的にフラグの成立となる。また、既に、フラグが成立している場合は抽選は実行されない。
【００９３】
この始動レバー３５４の操作跡は、ドラム１４が始動する。このとき、３個のドラム１４は同時に高速に回転する。
【００９４】
遊技者は、停止ボタン３５６Ａ、３５６Ｂ、３５６Ｃを操作することで、ドラム３５０Ａ、３５０Ｂ、３５０Ｃの回転を停止させるが、前記フラグが成立している場合には、的確な目押しタイミングによって当たり図柄を停止させることができる。逆に、フラグが成立していない場合には、目押しを行っても、ドラム３５０Ａ、３５０Ｂ、３５０Ｃの回転にすべりを生じさせ、当り図柄では停止しないようにする。
【００９５】
前記停止操作によって停止したドラム１４の表示図柄が、当たり図柄で揃った場合には、ボーナスゲーム制御を実行する。
【００９６】
上記構成のパチスロ機３００における本体３０２と操作兼装飾部３０３との間の蝶番に本発明の開閉機構（すなわち、図４に示す歯部２８４Ａが形成された回転体２８４と、爪部２７６Ａが形成されたロック部材２７６）を設けることで、第１の実施の形態及び第２の実施の形態と同様に、本体３０２の内部や、操作兼装飾部３０３の裏面側のメンテナンス作業時において、操作兼装飾部３０３を開放状態で保持することができる。
【００９７】
なお、上記第１乃至第３の実施の形態では、回転体２８４を用いて開閉ユニットの開閉動作の途中での方向転換動作を阻止するようにしたが、図１１に示される如く、本体（第１の実施の形態では、木枠２５８、第２の実施の形態では、枠体１１３、第３の実施の形態では本体３０２）３３０と開閉ユニット（第１の実施の形態ではパチンコ機１１０、第２実施の形態ではガラス枠１１３、第３の実施の形態では操作兼装飾部３０３）３３１に対して伸縮ロッド３３２を備えたシリンダ３３４を具備し、このシリンダ３３４に開閉機構を設けるようにしてもよい。すなわち、図１２に示される如く、伸縮ロッド３３２に歯部３３２Ａを設け、この伸縮ロッド３３２の移動軌跡に対応して係合部材３３６の爪部３３６Ａを所定の相対位置関係で設けることで、直線移動による開閉動作の制限が可能となる。
【００９８】
図１２に示される如く、伸縮ロッド３３２が本体３３０に収容されている状態（開閉ユニットの閉状態）では、係合部材３３６の爪部３３６Ａは歯部３３２Ａと対応しておらず、引張コイルばね３３８の付勢力で中立位置となっている（図１２（Ａ）参照）。
【００９９】
この状態で伸縮ロッド３３２が伸長し始めると、爪部３３６Ａが一方に傾斜されて歯部３３２Ａを乗り越えながら移動する。このとき、伸縮ロッド３３２が本体３３０に収容される方向に方向転換すると、爪部３３６Ａが歯部３３２Ａと係合状態となり、中立位置への移動が阻止されるため、当該移動が阻止される（図１２（Ｂ）、参照）。
【０１００】
伸縮ロッド３３２が伸長しきると、爪部３３２Ａが歯部３３６Ａを越えるため、爪部３３６Ａは引張コイルばね３３８の付勢力で中立位置へ移動する（図１２（Ｃ）参照）。
【０１０１】
このため、その後の伸縮ロッド３３２の本体３３０への収容方向への移動時には、爪部３３６Ａは、伸縮ロッド３３２の伸長時とは反対方向に傾斜し、歯部３３２Ａを乗り越えることができ、円滑に移動させることができる（図１２（Ｄ）参照）。なお、この場合、途中で伸長方向へ方向転換してもその移動は阻止される。
【０１０２】
【発明の効果】
以上説明した如く本発明では、開閉可能なユニットを開放しながら作業を行なう際に、開放状態を維持することができるという優れた効果を有する。
【０１０３】
また、上記効果に加え、開閉可能なユニットが不正に開放された場合に、この開放状態を閉止に復帰させる際に、大きな動作が必要となるようにすることで、不正行為の監視に対して目立ち易くすることができるという効果を有する。
【図面の簡単な説明】
【図１】第１の実施の形態に係るパチンコ機の正面図である。
【図２】第１の実施の形態に係るパチンコ機の左上角部の分解斜視図である。
【図３】開閉機構の平面図である。
【図４】開閉機構の動作状態を示し、（Ａ）は全閉状態、（Ｂ）は開放途中の状態、（Ｃ）は全開状態、（Ｄ）閉止途中の状態を示す平面図である。
【図５】第２の実施の形態に係るパチンコ機の正面図である。
【図６】第２の実施の形態に係る蝶番部分の平面図である。
【図７】第２の実施の形態に係る開閉機構を示すガラス枠の左上角部の斜視図である。
【図８】第３の実施の形態に係るパチスロ機の外観を示す斜視図である。
【図９】第３の実施の形態に係るパチスロ機の正面図である。
【図１０】第３の実施の形態に係るパチスロ機の表示部及び操作部の拡大正面図である。
【図１１】第１乃至第３の実施の形態の変形例に係り、直線移動するシリンダに開閉機構を適用した場合の本体と開閉ユニットの開閉動作状態を示す平面図である。
【図１２】直線移動するシリンダの開閉機構を示し、（Ａ）は全閉状態、（Ｂ）は開放途中の状態、（Ｃ）は全開状態、（Ｄ）閉止途中の状態を示す平面図である。
【符号の説明】
１１０    パチンコ機
１１０Ａ    透明ガラス板
１１０Ｂ    ガラス枠
１１１    遊技盤
１１２    レール
１１３    枠体
１１４    ゲージ部
２５０、２５２    取付ユニット
２５４    ブラケット
２５６    円孔
２５８    木枠
２６０    ブラケット
２６２    軸部材
２６４    ブラケット
２６６    ブラケット
２６６Ａ    支持部
２７０    円孔
２７２    軸部
２７６    ロック部材
２７６    爪部
２７８    ロック部材ブラケット
２８０    軸部
２８２    引張コイルばね
２８４    回転体
２８４Ａ    歯部
【図１】
0003878003.tif 000002
【図２】
0003878003.tif 000003
【図３】
0003878003.tif 000004
【図４】
0003878003.tif 000005
【図５】
0003878003.tif 000006
【図６】
0003878003.tif 000007
【図７】
0003878003.tif 000008
【図８】
0003878003.tif 000009
【図９】
0003878003.tif 000010
【図１０】
0003878003.tif 000011
【図１１】
0003878003.tif 000012
【図１２】
0003878003.tif 000013